(57)【要約】【課題】ロッキング姿勢でパソコン操作のような作業を楽に行える椅子を提供する。【手段】背もたれは、前後に開口したバックフレーム１３とこれに張ったネット状材とからなっている。バックフレーム１３のサイドメンバー１４に、ヘッドレスト装置７の支持フレーム２４がピン２６で回動可能に連結されている。リアリンク２１はサイドメンバー１４と座４とに連結されており、背もたれが後傾すると、リアリンク２１はバックフレーム１３に対して上端部が後退するように回動し、すると、ヘッドレスト装置７の支持フレーム２４の下端が後ろに押され、ヘッドレスト２３はバックフレーム１３に対して相対的に前進する。従って、ロッキング状態で、人の頭は起こした状態にヘッドレスト２３で支持される。【選択図】図３
2008295516.tif 000002
【特許請求の範囲】
【請求項１】
座と後傾動自在な背もたれとを備えており、前記背もたれに、着座した人の頭を後ろから支え得るヘッドレストが、前記背もたれが後傾動するとヘッドレストが相対的に前進動するように取付けられている、
ヘッドレスト付きロッキング椅子。
【請求項２】
前記背もたれは強度メンバーとしてのバックフレームを備えている一方、前記ヘッドレストは、前記バックフレームに前後傾動自在に連結された支持フレームの上端に取付けられており、背もたれが後傾すると支持フレームをその上部が前進するように回動させる連動手段が設けられている、
請求項１に記載したヘッドレスト付きロッキング椅子。
【請求項３】
前記バックフレームはその左右側部を構成する縦長のサイドメンバーを備えている一方、前記連動手段は、背もたれが後傾するとこの背もたれに対して上部が相対的に後退するリンクであって、前記バックフレームのサイドメンバーに、前記リンクが傾動可能に配置される空所を形成している、
請求項２に記載したヘッドレスト付きロッキング椅子。
【発明の詳細な説明】
【技術分野】
【０００１】
本願発明は、ヘッドレストを備えたロッキング椅子に関するものである。
【背景技術】
【０００２】
椅子において、背もたれにヘッドレストを取り付けることが行われている。ヘッドレストの取付け方法は様々であり、例えば本願出願人が出願した特許文献１では、背もたれの裏側に配置したアウターシェルに支柱を取付けて、この支柱にヘッドレストを取付けている。他方、特許文献２では、背もたれにネット状材を使用している椅子において、背もたれが取り付く背支柱に支持筒を取付け、この支持筒に高さ調節可能に嵌め入れた支柱部材にヘッドレストを取付けている。いずれの特許文献でも、ヘッドレストは側面視での姿勢を調節できるようになっている。
【０００３】
ヘッドレストは言うまでもなく頭を後ろから支えて人の姿勢を安定させるものであるが、従来は、非ロッキング状態でもロッキング状態でもヘッドレストと背もたれとの相対位置には違いはなく、ヘッドレストは背もたれと一緒に前後後傾するようになっている。
【特許文献１】特開２００３−２６５２６４号公報
【特許文献２】特開２００４−５７３９７号公報
【発明の開示】
【発明が解決しようとする課題】
【０００４】
ところで、背もたれがロッキングすると使用者の上半身は背もたれと同様に後傾するが、従来の椅子では、頭をヘッドレストに当てた状態でロッキングすると顔は上向き勝手になり、従って、ロッキングに伴って使用者の目線は略水平姿勢から斜め上向きに変化し、一般には、背もたれが後傾しきると目線は天井に向かうことになる。
【０００５】
人が背もたれにもたれ掛かってロッキングする目的は様々であり、例えば目を閉じてリラックスする場合がある。このような場合には、ロッキング状態において顔が上向き勝手になっても特に問題はないと言える。
【０００６】
他方、上半身は背もたれにもたれ掛かりつつも、目線はおよそ水平方向に向けて執務等を行いたい場合がある。例えばロッキング状態でパソコンやＣＡＤの操作を行いたい場合や、ロッキング状態で書籍や書類を読みたい場合がそうである。この場合、従来の椅子ではロッキングすると顔が上向きになるため執務等を行うためには頭を起こさねばならず、すると、頭はかなりの重さがあるため首に相当の負担が掛かってすぐに疲れる（或いは首が凝る）という問題があった。
【０００７】
ロッキング状態で休息したり仮眠したりする場合でも、顔は前向きの姿勢にしたいという要望も有り得るであろう。例えば、顔を上げると口が空き勝手になって体裁が悪いことから顔を前向き姿勢に保持したい場合もあるし、或いは、単なる好みの問題として顔を前向き姿勢にしたい場合もあろう。そして、従来の椅子ではロッキング状態では頭をヘッドレストから離さなければ顔は正面を向くことはできないため、このような要望に応えることはできなかった。
【０００８】
もとより、ヘッドレストを背もたれに前後移動調節可能に取り付けて、ロッキング状態でヘッドレストを前向きに移動させるという方法を採れないことはないが、これでは使用者にとって著しく不便であり、ユーザーフレンドリーとは言えない。
【０００９】
本願発明は、このような現状を改善することを課題とするものである。
【課題を解決するための手段】
【００１０】
本願発明は幾つかの構成を含んでおり、このうち請求項１の発明に係る椅子は、座と後傾動自在な背もたれとを備えており、前記背もたれに、着座した人の頭を後ろから支え得るヘッドレストが、前記背もたれが後傾動するとヘッドレストが相対的に前進動するように取付けられている。
【００１１】
請求項２の発明に係る椅子は、請求項１において、前記背もたれは強度メンバーとしてのバックフレームを備えている一方、前記ヘッドレストは、前記バックフレームに前後傾動自在に連結された支持フレームの上端に取付けられており、背もたれが後傾すると支持フレームをその上部が前進するように回動させる連動手段が設けられている。
【００１２】
請求項３の発明に係る椅子は、請求項２において、前記バックフレームはその左右側部を構成する縦長のサイドメンバーを備えている一方、前記連動手段は、背もたれが後傾するとこの背もたれに対して上部が相対的に後退するリンクであって、前記バックフレームのサイドメンバーに、前記リンクが傾動可能に配置される空所を形成している。
【発明の効果】
【００１３】
本願発明によると、背もたれが後傾するとヘッドレストが背もたれに対して相対的に前進するため、ロッキング状態において目線がおおよそ水平状となるように顔を起こした状態に頭を後ろから支えることが可能になる。
【００１４】
これにより、ロッキング姿勢のままでディスプレイを楽に見ながらパソコン操作したいという要望や、ロッキング状態で顔を起こしてテレビを観たいという要望、ロッキング状態で顔を起こして読書をしたいという要望、顔は正面方向を向いたままで単にリラックスしたいという要望、といった各種の要望に応えることができて椅子の使用価値を格段に向上させることができる。
【００１５】
背もたれの後傾動に連動してヘッドレストを自動的に前進させる連動手段は様々のものを採用できるが、請求項３のようにリンクを採用すると、簡単な構造でヘッドレストを確実に前進させることができる利点がある。また、請求項３のように構成するとリンクがバックフレームのサイドメンバーに隠れているため、全体としてコンパクトになると共に、美観においても優れている利点がある。
【発明を実施するための最良の形態】
【００１６】
次に、本願発明の実施形態を図面に基づいて説明する。本実施形態は、事務用に多用されている回転椅子に適用している。図１〜図１４では第１実施形態を示し、図１５では第２〜第４実施形態を示している。以下、順次説明する。
【００１７】
(1).第１実施形態の概略
図１は第１実施形態に係る椅子の側面図、図２は一部を省略した背面図、図３は部材を分離した状態での側面図、図４はロッキング状態の概略側面図、図５のうち（Ａ）は一部破断側面図、（Ｂ）は部材を分離した状態での概略背面図である。まず、これらの図に基づいて椅子の概要を説明する。
【００１８】
図１に示すように、椅子は、主要要素として、脚支柱２を有する脚装置１、脚支柱２の上端に固定されたベース３、ベース３の上方に配置された座４、一部を背もたれ６と成したフレーム装置５、背もたれ６に取付けられたヘッドレスト装置７、座４の左右に配置された肘掛け装置８、を備えている。肘掛け装置８はフレーム装置５に固定されている。但し、肘掛け装置８は本願発明との関係はないので以下においても説明は省略する。なお、肘掛け装置８はオプション品であり、取付けない場合もある。
【００１９】
脚１は放射状に延びる複数本の枝足９を備えており、各枝足９の先端にはキャスタ１０を設けている。脚支柱２は伸縮自在なガスシリンダを使用しており、従って、外筒と内筒とを備えている。フレーム装置５は、ベース３の左右両側において前後方向に延びる傾動フレーム１１を備えている。傾動フレーム１１はその前端部を中心にして後傾するようにベース３に第１軸１２で連結されている。傾動フレーム１１の後部には上向きに延びる背支柱１１ａが一体に形成されており、左右の背支柱１１ａに、背もたれ６の輪郭（周囲）を構成するバックフレーム１３がねじで固定されている。
【００２０】
バックフレーム１３は基本的には縦長の四角形（略台形）に近い形状であり、従って、背もたれ６の左右側部を構成する縦長の左右のサイドメンバー１４と、背もたれ６の上部を構成する略横長（水平状）のアッパーメンバー１５と、背もたれ６の下部を構成する略横長のロアメンバー１６とから成っている。そして、バックフレーム１３にネット状材１７を張ることで背もたれ６が構成されている。
【００２１】
座４の前部とベース３の前部とはフロントリンク１８で連結されており、フロントリンク１８が後傾動することで座４は後退しつつ後傾し得る。また、座４の後部寄りに、傾動フレーム１１に向けて突出した左右のガイドピン１９が設けられている一方、左右傾動フレーム１１の相対向する内側面には、ガイドピン１９がスライド可能に嵌まるガイド穴（長穴）２０が空いている。
【００２２】
そして、図３に示すように、フロントリンク１８とガイドピン１９とガイド穴２０とのガイド作用により、座４は、背もたれ６の後傾動に連動して一緒に後傾及び後退並びに下降する。言うまでもないが、座４の後傾の度合いは背もたれ６の後傾の度合いよりも小さい。
【００２３】
例えば図３に示すように、椅子は、座４とフレーム装置５とに相対回動可能に連結された左右のリアリンク２１と、左右リアリンク２１の上端部の前面に重なった左右のスペーサ２２（可動支持体）とを備えている。スペーサ２２はネット状材１７の左右側部を裏側から支持している。リアリンク２１は、傾動フレーム１１とほぼ重なった下部２１ａとその後端から上向きに延びる起立部２１ｂとを備えて全体的にはＬ字に近い形状になっており、下部２１ａと起立部２１ｂとが繋がったコーナー部がバックフレーム１３のサイドメンバー１４に連結されて、下部２１ａの前端に形成した上向き突起２１ｃが座４に連結されている。
【００２４】
リアリンク２１は、ヘッドレスト２３を自動的に前進させる連動手段を構成している。また、本実施形態では背もたれ６が後傾動するとランバーサポート部１７ａが自動的に弛むが、リアリンク２１は、背もたれ６の後傾動によってランバーサポート部１７ａを自動的に弛ませるためのテンション調節手段の主要部材も兼用している。
【００２５】
ヘッドレスト装置７は、人の頭が当たるヘッドレスト２３と、これが取り付いた左右の支持フレーム２４とを備えており、左右の支持フレーム２４はその上部において横長の補強フレーム２５で連結されている。左右の支持フレーム２４の下部は、バックフレーム１３におけるサイドメンバー１４の内側面に重なって枢支部２４ａになっており、枢支部２４ａの上端が左右横長の枢支ピン２６でサイドメンバー１４に連結されている。
【００２６】
ヘッドレスト２３は平面視で前向き凹状に湾曲した形態になっており、樹脂製の基板の前面にクッションを張った構造になっている。ヘッドレスト２３を構成する基板と支持フレーム２４とは一体に成形しても良いし、別体に製造して一体的に組立てても良い。基板と支持フレーム２４との組立方法としては、例えば、基板に設けたブラケットを支持フレーム２４にビス等で固定したら良い。
【００２７】
背もたれ６が後傾するとリアリンク２１で枢支部２４ａの下端が後方に押され（詳細は後述する）、これによってヘッドレスト２３が背もたれ６に対して相対的に前進する。なお、図４において（Ａ）ではヘッドレスト装置７を表示しているが、（Ｂ）ではヘッドレスト装置７は表示していない。
【００２８】
ロッキング時にヘッドレスト２３が背もたれ６に対して相対的に前進するのは本実施形態の一つの特徴であるが、この特徴により、ロッキング時に人の頭が後ろに反り過ぎることを抑制できる。従って、例えばロッキング状態のままで頭を起こすことなくパソコンのディスプレイを楽に見ることができる利点や、読書に際して本を持ち上げる必要がないといった利点がある。
【００２９】
(2).ロッキング機構の詳細
以下、従前の図に加えて図６以下の図面も参照しつつ各部位の構造や動きを詳述する。まず、ベース３の構造やロッキング機構のような椅子の基本的構造を、図６〜図１０を参照して説明する。図６（Ａ）は椅子の縦断側面図、図６（Ｂ）は背もたれ６の下部の縦断側面図、図６（Ｃ）は背もたれ６の上部の縦断側面図、図７は座部の一部破断平面図、図８はロッキング用ばねの箇所の部分的な平面図、図９は図７の IX-IX視断面図、図１０は図７の X-X視断面図である。
【００３０】
図６（Ａ）に示すように、ベース３は、上向きに開口した浅い箱状の本体２８とその上面にボルトで固定された下向き開口の蓋２９とで中空に形成されており、図７に示すように平面形状はやや前後長手で後向きに窄まっている（勿論、形状は自由に選択できる。）。脚支柱２は本体２８の後部に嵌着されている。第１軸１２は本体２８と蓋２９とで上下から挟むようになっており、このため、本体２８と蓋２９とには、左右外向きに突出した半割り状軸受け部３０が形成されている。
【００３１】
半割り状軸受け部３０と傾動フレーム１１との間には間隔が空いており、このため、第１支軸１２にはカラー３１を嵌め入れている。第１支軸１２は左右の傾動フレーム１１に相対回転不能に固定されている。
【００３２】
ベース３を構成する本体２８のうち脚支柱２の手前の箇所には下向きの凹所２８ａが形成されており、この凹所２８ａに略鉛直姿勢の支軸３２をねじ込みによって取付け、支軸３２にロッキング用ばね（コイルばね）３３を上方から嵌め入れている。そして、第１軸１２には、当該第１軸１２から後ろ向きに延びるアーム状のばね押さえ３４を相対回転不能に取り付けている。ばね押さえ３４の先端部は、支軸３２と干渉せずにロッキング用ばね３３に上方から重なるように二股状になっており、背もたれ６はロッキングばね３３に抗して後傾動する。
【００３３】
本実施形態では第１軸１２は円形になっており、そこでばね押さえ３４は溶接やピン止めで第１軸１２に固定されているが、例えば第１軸１２を断面四角形等の角形に形成することでばね押さえ３４と第１軸１２とを相対回転不能に嵌め合わせることも可能である（この点は、第１軸１２と傾動フレーム１１との固定構造についても同様である。）。また、ロッキング用ばねの形態や配置態様も様々に具体化することができる。例えばばね手段としては、ねじりばねや板ばね、或いはトーションバーを使用することも可能である。
【００３４】
ベース３を構成する本体２８の前部には、フロントリンク１８を連結するための左右横長の筒状軸受け部２８ｂが一体に形成されており、この筒状軸受け部２８ｂに挿通した第２軸３５でフロントリンク１８の下部が本体２８に連結されている。なお、筒状軸受け部２８ｂは本体２８の左右両側に分離して設けても良く、第２軸３５を左右別々に分離することも可能である。
【００３５】
例えば図３、図６（Ａ）、図９に示すように、座４は、樹脂製の座受け３６にインナーシェル３７を固定してその上面にクッション３８を張った構造になっている。座受け３６は左右傾動フレーム１１の間に入り込む左右幅であり、下向きの側板３６ａを備えている。そして、座受け３６における左右側板３６ａの前寄り部分に、厚肉のフロント軸受け部３９を一体に形成して、このフロント軸受け部３９にフロントリンク１８の上端を左右横長の第３軸４０でそれぞれ連結している。なお、第３軸４０は１本に連続させること可能である。
【００３６】
座受け３６には、座インナーシェル３７が人の体圧で沈み込み変形することを許容するための大きな抜き穴４１が空いている（勿論、抜き穴４１は無くても良いし、また、座４にメッシュ構造を採用することも可能である。）。例えば図９では座４はインナーシェル３７と座受け３６と密着した状態に描いているが、実際には、座４とインナーシェル３７と座受け３６との間にはその大部分において隙間が空いている。
【００３７】
座受け３６の左右側板３６ａには、その後端に寄った部分に厚肉状で下向きのリアブラケット４２を一体に形成しており、このリアブラケット４２の下端に前記したガイドピン１９を外向き突設している。他方、図７や図１０に示すように、傾動フレーム１１には、既述のとおり、ガイドピン１９がスライド自在に嵌まるガイド穴２０が空いている。傾動フレーム１１はアルミダイキャストのような金属加工品であり、基本的には内側に開口した中空状であって、中空部に補強リブを設けている。
【００３８】
また、傾動フレーム１１は側面視で水平に対して緩い角度で前傾した姿勢になっているが、例えば図１０に示すように、ガイド穴２０は側面視において傾動フレーム１１に対して相対的に若干の角度だけ前傾した姿勢になっている。このような傾動フレーム１１とガイド穴２０との傾斜角度の関係により、座４が背もたれ６に連動して後傾・後退・下降するにおいて、人間工学的に違和感のない快適な使用感を得ることができる。
【００３９】
(3).テンション調節手段及びヘッドレスト前傾機構の詳細
次に、従前の図に加えて図１１以下の図面も参照し、背もたれ６の構造やテンション調節手段、及びヘッドレスト前傾機構を詳述する。図１１は主要部材の概略斜視図、図１２のうち（Ａ）は背もたれ６の部分的な正面図、（Ｂ）は（Ａ）のＢ−Ｂ視断面図、（Ｃ）は（Ａ）のＣ−Ｃ視断面図、（Ｄ）は（Ａ）のＤ−Ｄ視断面図、図１３のうち（Ａ）は図１２（Ａ）の XIII-XIII視断面図、（Ｂ）はヘッドレスト装置７を表示した側面図、図１４のうち（Ａ）は作用を示す図でヘッドレスト装置７を省略したもの、（Ｂ）はヘッドレスト装置７も表示したロッキング状態の側面図である。
【００４０】
本実施形態では、バックフレーム１３は樹脂を素材として全体が単一部材として成形されており、サイドメンバー１４のうち着座した人の腰に当たる部分は側面視で前向き凸状に緩い曲率で湾曲している（例えば図３や図４で前向き湾曲部を符号１４ａで示している。）。従って、例えば図６（Ａ）に示すように、バックフレーム１３に張られたネット状材１７は、着座した人の腰部を集中的に支える前向き凸状のランバーサポート部１７ａを備えている。
【００４１】
バックフレーム１３を構成するアッパーメンバー１５とロアメンバー１６とは、平面視で後ろ向き凹状に湾曲している。このため、ネット状材１７は左右中間部が後ろ向きに引っ張られており、その結果、ネット状材１７は平断面視では後ろ向き凸状に湾曲している（或いは凹んでいる。）。このため、ネット状材１７は人の背中や腰を包むような形状に張られている。ランバーサポート部１７ａは縦断側面視では前向き凸に湾曲しつつ、平断面視では前向き凹状に湾曲している。
【００４２】
ネット状材１７をバックフレーム１３に取り付ける具体的な方法は、図６（Ｂ）（Ｃ）や図１２（Ｂ）（Ｃ）（Ｄ）に示されている。すなわち、本実施形態では、ネット状材１７の取付け方法としては、ネット状材１７の縁のほぼ全周に扁平状で細長くて適度の腰のある縁部材４５を固定し、縁部材４５をバックフレーム１３（各メンバー１４，１５，１６）の外周面に形成した細溝４６に嵌め込んでいる。細溝４６への縁部材４５の嵌め込みはネット状材１７を強く引っ張った状態で行っており、このため、縁部材４５が細溝４６から外れることはない。
【００４３】
例えば図６（Ａ）のように、図面の中には縁部材４５や細溝４６を省略しているものもある。なお、ネット状材１７は左右方向には若干伸び得るが上下方向には殆ど伸びない構造になっている（この点は従来品と同じである。）。
【００４４】
例えば図３から理解できるように、傾動フレーム１１の背支柱１１ａはバックフレーム１３の前向き突出部の付近まで伸びている。そして、図１１や図１２（Ｂ）〜（Ｃ）に示すように、傾動フレーム１１の背支柱１１ａは背板と内側板１１ｂとを有して断面略Ｌ字状になっている。強度の面からは外側板を有する溝型が有利であるが、外側板を備えていないのは、バックフレーム１３のサイドメンバー１４を外側に露出させてこれに細溝４６を形成せねばならないためである。細溝４６まで届かない状態で外側板を形成することは可能である。
【００４５】
バックフレーム１３のサイドメンバー１４が背支柱１１ａにビス（図示せず）で固定されている。また、サイドメンバー１４の下部とロアメンバー１６の左右両端部とは背支柱１１ａの側板１１ｂよりも手前にはみ出しており、このはみ出し部に細溝４６を形成している。従って、サイドメンバー１４とロアメンバー１６とには、細溝４６は背支柱１１ａと緩衝することなく連続した状態に形成されている。
【００４６】
本実施形態では、背支柱１１ａは傾動フレーム１１の傾斜部とは別体に構成されており、傾動フレーム１１の傾斜部の後部に下方から嵌め込んでビス（図示せず）で固定している。そして、図１１に明示するように、傾動フレーム１１の傾斜部の後端には、背支柱１１ａの内面に密着する上向きの突出補強ブロック４７がねじ止め又は一体成形によって設けられている。他方、同じく図１１に明示するように、バックフレーム１３のうちサイドメンバー１４とロアメンバー１６とが繋がっているコーナー部の背面部には、前記補強ブロック４７ときっちり嵌合する切欠き４８が形成されている。
【００４７】
既述のように、リアリンク２１は下部２１ａと起立部２１ｂとを備えている。そして、図７や図９に示すように、リアリンク２１の上向き突起２１ｃは左右横長の第４軸４９によって座受け３６の外側面に連結されており、リアリンク２１の下部２１ａは傾動フレーム１１の内側面に沿って後方に延びている。他方、例えば図１２に示すように、リアリンク２１の起立部２１ｂは背支柱１１ａの前面に沿って上方に延びており、このため、バックフレーム１３を構成するサイドメンバー１４には、リアリンク２１が入り込む縦溝５３を形成している。
【００４８】
リアリンク２１の下部２１ａと起立部２１ｂとは左右にずれている。そこで、例えば図１１に明示するように、リアリンク２１における下部２１ａの後部には、当該後部を傾動フレーム１１の内部に入り込ませるための折り曲げ部２１ｄが形成されており、かつ、傾動フレーム１１には、折り曲げ部２１ｄとの干渉を回避するための開口部５０を形成している。これにより、リアリンク２１が背もたれ６の後傾動に連動して回動することが許容されている。
【００４９】
図１１から理解できるように、リアリンク２１は、下部２１ａと起立部２１ｂとが交叉したコーナー部において、傾動フレーム１１の補強ブロック４７に第５軸５１で連結されている。補強ブロック４７にはリアリンク２１の起立部２１ｂが嵌まるための縦溝４７ａを形成している。なお、第５軸５１にはボルトを代用しており、また、背支柱１１ａの側板１１ｂには、第５軸５１との干渉を回避するための逃がし穴５２が空けられている。
【００５０】
サイドメンバー１４の縦溝５３はその全体にわたって後方に開口しており、かつ、スペーサ２２を装着した箇所は前方にも開口している。スペーサ２２は樹脂製であり、側面視では上下に長い楕円形に近い形になっており、正面視では縦長の長方形になっている。また、スペーサ２２の下部には、サイドメンバー１４の内側に張り出した摘み２２ａを設けている。
【００５１】
そして、スペーサ２２の左右中間位置には、リアリンク２１の起立部２１ｂに嵌まり込む後ろ向き開口のガイド溝５５が形成されており、このガイド溝５５の上下中間部に側面視で後ろ向き凸の山形ストッパー５６が形成されている。そして、リアリンク２１の起立部２１ｂには、スペーサ２２の山形ストッパー５６が選択的に嵌まる三角形状の複数（４個）の凹所５７が上下に連続して形成されている。
【００５２】
リアリンク２１における起立部２１ｂの上端には、サイドメンバー１４の内側に突出するピン５８を取付けており、ピン５８をヘッドレスト装置７における支持フレーム２４の下端に前方から当てている。ヘッドレスト装置７の支持フレーム２４は正面視で薄い板状に形成されており、支持フレーム２４の下端には、ピン５８が嵌まる切欠き５９を形成している。また、バックフレーム１３のサイドメンバー１４にも、ピン５８の後退動を許容するための切欠き６０が形成されている。
【００５３】
人が背もたれ６にもたれ掛かってロッキングすると、リアリンク２１の起立部２１ｂが背支柱１１ａに対して相対的に後傾動し、すると、リアリンク２１の起立部２１ｂに設けたピン５８で支持フレーム２４の下端の切欠き５９の箇所が押され、これにより、ヘッドレスト２３は全体としては後傾しつつも背もたれ６に対しては相対的に前進動する。
【００５４】
なお、本実施形態では、ピン５８で支持フレーム２４の下端が後ろに押されるだけであり、ヘッドレスト装置７の戻り回動はヘッドレス装置７の自重によって行われる。すなわち、ヘッドレスト装置７は重心が枢支ピン２６よりも上方及び後方に位置しており、このため、ヘッドレスト２３は後傾（後退）し勝手になっている。ヘッドレスト２３が後退し勝手となるように支持フレーム２４をばねで押すことも可能である。
【００５５】
(4).まとめ
背もたれ６が後傾していない非ロッキング状態では、図１４に示すように、スペーサ２２はサイドメンバー１４の前面よりも手前に突出しており、このため、ネット状材１７のランバーサポート部１７ａはその左右両端部が手前に押されていると共に左右方向に強く引っ張られている。従って、ランバーサポート部１７ａは縦断側面視では曲率が最も小さくなっていて平断面視では曲率が最も大きくなっている。このため、人の腰部を的確に支えることができる。
【００５６】
また、スペーサ２２を摘みを摘んでネット状材１７の弾性に抗して上下動させることができ、これにより、ランバーサポート部１７ａの頂点の高さ位置を調節することができる。なお、スペーサ２２はネット状材１７のテンションで後ろ向きに押されているため、スペーサ２２が脱落することはない。
【００５７】
また、ヘッドレスト２３は、人が腰部をランバーサポート部１７ａに当てて上半身をほぼ直立させせた姿勢にすると人の頭が当たるようになっている。従って、人は、顔をおおむね正面に向けた状態で頭がヘッドレスト２３によって後ろから支えられている。
【００５８】
着座した人が背もたれ６にもたれ掛かって背もたれ６が後傾動すると、リアリンク２１は起立部２１ｂの上端が後退動するようにバックフレーム１３に対して相対的に傾動し、すると、図１４に示すようにスペーサ２２はサイドメンバー１４の縦溝５３に完全に入り込む。このため、ネット状材１７のランバーサポート部１７ａはサイドメンバー１４に対して相対的に後退動すると共に、左右方向の長さが長くなるような状態に弛む。
【００５９】
このため、縦断側面視においてランバーサポート部１７ａの湾曲の曲率が著しく大きくなり（場合によって扁平状まで伸ばすことも可能である）、かつ、人の背中や腰はネット状材１７で深く包まれる傾向を呈する。このため、高くフィット性・快適性を確保できる。
【００６０】
また、既述のとおり、支持フレーム２４の下端の切欠き５９がリアリンク２１の起立部２１ｂに設けたピン５８で後ろに押されることにより、ヘッドレスト２３が背もたれ６に対して相対的に前進する。このため、ロッキング状態において使用者は顔をおおむね正面に向けた状態で頭が後ろから支えられている。これにより、例えば、ロッキング状態のままでパソコン操作を楽に行える等の利点がある。
【００６１】
(5).他の実施形態
図１５では他の実施形態を示している。このうち（Ａ）に示す第２実施形態は第１実施形態の変形例であり、リアリンク２１における起立部２１ｂの上端に設けたピン５８を支持フレーム２４の下端部に形成した長穴６１に嵌め込め入れている。このため、支持フレーム２４はリアリンク２１と一体になって前後に後傾する。長穴６１に代えて下向き開口の切欠き溝を採用することも可能である。
【００６２】
図１５のうち（Ｂ）は第３実施形態の模式的な側面図である。この第３実施形態では、ヘッドレスト２３は背もたれ４の裏側に配置したリンク６２の上端に高さ調節可能に取付けられている。この実施形態の椅子は、座４の前部はスライド軸６３及び長穴６４を介してベース３に前後スライド可能に連結されており、また、座４の後部はリア軸６５を介して傾動フレーム１１に相対回動可能に連結されている。従って、座４は背もたれ６と連動して後退しつつ後傾するが、座４の後傾度合いは背もたれ６の後傾度合いよりも小さい。
【００６３】
そして、リンク６２の下端は座４と連結されており、かつ、リンク６２の下部は傾動フレーム１１に対して相対的にスライドするように連結されている。また、リンク６２はその適宜の高さ部位が背もたれ６の背面に横長の上軸６８で相対回動可能に連結されている。
【００６４】
この第３実施形態では、ロッキングに際してリンク６２は背もたれ６と一緒に後傾するが、座４が傾動フレーム１１に対して相対的に後退動することにより、リンク６２はその下端が後ろ向きに押されることになり、そのため、リンク６２は上軸６８を中心にして上部が前進するように回動し、このため、ロッキング時にヘッドレスト２３は背もたれ６に対して相対的に前進動する。ヘッドレスト２３の前進距離は、上軸６８の高さ位置を変えることで調節できる。
【００６５】
図１５（Ｃ）は第４実施形態の模式的な側面図である。この実施形態では、ヘッドレスト２３は左右の支持フレーム２４に取付けられており、左右支持フレーム２４は背もたれ６の側面に横軸６９で回動可能に連結されている。そして、支持フレーム２４のうち横軸６９よりも下方の下端部には、チューブ７０に挿入されたワイヤー７１の一端が固定されている。チューブ７０の一端は背もたれ６の背面側に固定されており、従って、ワイヤー７１が引っ張られると支持フレーム２４が回動してヘッドレスト２３は背もたれ６に対して前進する。
【００６６】
他方、ベース３にはチューブ７０の他端が固定されており、ワイヤー７０の他端が傾動フレーム１１に連結されている。従って、傾動フレーム１１が後傾するとワイヤー７０が引っ張られて支持フレーム２４はその上端が前進するように回動する。すなわち、ヘッドレスト２３はロッキングに際して背もたれ６に対して相対的に前進動する。この実施形態は全体としてコンパクトになる利点がある。チューブ７０及びワイヤー７１とからなる索道管は背もたれ６の背面部のうち左右中間部の１箇所に配置することも可能である。
【００６７】
(6).その他
本願発明は上記の実施形態の他にも様々に具体化できる。例えば、適用対象である椅子は必ずしも回転椅子に限定されるものではなく、例えば劇場用椅子やベンチのような固定式椅子にも適用できる。座にもネット状材を使用すること、或いは逆に、背もたれをクッションタイプ（インナーシェルにクッションを張ったタイプ）とすることも可能である。
【００６８】
背もたれを後傾させる機構が実施形態に限定されないことはいうまでもなく、例えば、座とベースとを連結している軸がスライドするシンクロ機構に適用することも可能である。また、背もたれのみが後傾する椅子に適用できることも言うまでもない。
【００６９】
ヘッドレストを背もたれの後傾動に連動して相対的に前進させる方法としては、実施形態のようなリンクを使用するものに限らず、例えばチューブにワイヤーが摺動自在に嵌め入れられた索道管を使用して、傾動フレームと支持フレームとをワイヤーで連結し、傾動フレームの後傾動によって支持フレームを回動させるといったことも可能である。連動手段としてリンクを使用する場合は、リンクは例えばベースと傾動フレームとに連結することも可能であり、勿論、互いに連結された複数のリンクを採用することも可能である。
【００７０】
ヘッドレストは、支持フレームに、高さや前後位置、或いは側面視での姿勢を調節可能な状態で取り付けることも可能である（その具体的な方法は例えば特許文献１の方法を採用できる。）。更に、支持フレームは実施形態のような二股状の形態を採用する必然性はないのであり、例えば、支持フレームは背もたれの左右中間部において上下に延びるように配置することも可能である。
【図面の簡単な説明】
【００７１】
【図１】第１実施形態に係る椅子の側面図である。
【図２】一部を省略した背面図である。
【図３】部材を分離した状態での側面図である。
【図４】ロッキング状態の概略側面図で、（Ａ）はヘッドレスト装置を表示したもので（Ｂ）はヘッドレスト装置を表示していないものである。
【図５】（Ａ）は一部破断側面図、（Ｂ）は部材を分離した状態での概略背面図である。
【図６】（Ａ）は椅子の縦断側面図、（Ｂ）は背もたれの下部の縦断側面図、（Ｃ）は背もたれの上部の縦断側面図である。
【図７】座部の一部破断平面図である。
【図８】ロッキング用ばねの箇所の部分的な平面図である。
【図９】図７の IX-IX視断面図である。
【図１０】図７の X-X視断面図である。
【図１１】主要部材の概略斜視図である。
【図１２】（Ａ）は背もたれ６の部分的な正面図、（Ｂ）は（Ａ）のＢ−Ｂ視断面図、（Ｃ）は（Ａ）のＣ−Ｃ視断面図、（Ｄ）は（Ａ）のＤ−Ｄ視断面図である。
【図１３】（Ａ）は図１２（Ａ）の XIII-XIII視断面図、（Ｂ）はヘッドレスト装置を表示した側面図である。
【図１４】作用を示す図である。
【図１５】第２〜第４実施形態を示す図である。
【符号の説明】
【００７２】
１  脚装置
３  ベース
４  座
５  フレーム装置
６  背もたれ
７  ヘッドレスト装置
１１  フレーム装置を構成する傾動フレーム
１３  フレーム装置及び背もたれを構成するバックフレーム
１４  バックフレームのサイドメンバー
１７  ネット状材
２１  ヘッドレストを前進させる連動手段の一例としてのリアリンク
２３  ヘッドレスト
２４  支持フレーム
５３  サイドメンバーに形成した空所
【図１】
2008295516.tif 000003
【図２】
2008295516.tif 000004
【図３】
2008295516.tif 000005
【図４】
2008295516.tif 000006
【図５】
2008295516.tif 000007
【図６】
2008295516.tif 000008
【図７】
2008295516.tif 000009
【図８】
2008295516.tif 000010
【図９】
2008295516.tif 000011
【図１０】
2008295516.tif 000012
【図１１】
2008295516.tif 000013
【図１２】
2008295516.tif 000014
【図１３】
2008295516.tif 000015
【図１４】
2008295516.tif 000016
【図１５】
2008295516.tif 000017